(57)【特許請求の範囲】
【請求項１】
載置する用紙サイズに応じて給紙方向に伸縮可能な用紙載置板を有する給紙カセットが装置本体から着脱可能な画像形成装置において、
前記用紙載置板の下方に用紙サイズを記載した文字板と、前記用紙載置板に前記文字板の文字が見えるための孔部と、前記用紙載置板の給紙方向の移動に連動して前記文字板の保持位置を移動させる移動部材とを設け、
前記用紙載置板の給紙方向の移動に伴い、前記移動部材により前記文字板を移動させることを特徴とする画像形成装置。
【発明の詳細な説明】
【０００１】
【発明の属する技術分野】
本発明は、プリンタ、複写機、あるいはＦＡＸ等の画像形成装置に関し、特に装置本体から着脱可能な給紙カセットを有する画像形成装置に関するものである。
【０００２】
【従来の技術】
従来から、画像形成装置に装着される給紙カセットは、画像形成装置で印刷可能な最大用紙を載置可能にする必要がある。例えば、図１１に示すように、画像形成装置で印刷可能な最大用紙がＡ３用紙の場合は、給紙カセット１２にＡ３用紙より大きい用紙載置板１４を設け、給紙方向最上流側に配設している用紙端部規制部材１５を移動可能とし、載置される用紙の端部と略一致する最適位置に用紙端部規制部材１５を移動させて保持していた。１８は、載置される用紙の端部位置を示す用紙サイズ文字であり、Ａ４Ｙ（横）、Ｂ５Ｔ（縦）等の表示がされている。
【０００３】
このような構成により、載置する指定された位置に用紙端部規制部材１５を配置でき、種々の用紙サイズに対して斜送することなく安定した用紙搬送性能を得ることができる。
【０００４】
しかし、図１１に示すような給紙カセット１２は、例えばＡ４用紙しか使用しない場合でも用紙載置板１４の大きさが変わらず、設置面積を常に広く必要とし、画像形成装置自体が大型化してしまったり、画像形成装置から給紙カセット１２が常に突出するという問題があった。
【０００５】
そこで、例えば図１２に示すように、用紙載置板２４を給紙方向に移動可能としたものがある。これにより、最大用紙サイズとなるＡ３サイズを載置する場合は、用紙載置板２４を最大限に伸ばした状態で載置可能とし、Ａ４サイズを載置する場合は、用紙載置板２４を縮めた状態で載置することにより、設置面積を小さくしたものがある。
【０００６】
【発明が解決しようとする課題】
ところが、図１２に示すような従来の給紙カセット２２は、用紙載置板２４に記載された用紙サイズ文字２８も一緒に移動するために、用紙積載板２４の伸縮によって用紙サイズ文字２８の位置が異なってしまい、用紙端部規制部材２５の正確な停止位置が判らなくなってしまうという問題があった。
【０００７】
【課題を解決するための手段】
本発明は、上記問題に鑑みてなされたものであり、載置する用紙サイズに応じて給紙方向に伸縮可能な用紙載置板を有する給紙カセットが装置本体から着脱可能な画像形成装置において、前記用紙載置板の下方に用紙サイズを記載した文字板と、前記用紙載置板に前記文字板の文字が見えるための孔部と、前記用紙載置板の給紙方向の移動に連動して前記文字板の保持位置を移動させる移動部材とを設け、前記用紙載置板の給紙方向の移動に伴い、前記移動部材により前記文字板を移動させる画像形成装置としたものである。
【０００８】
【発明の実施の形態】
以下、本発明の実施例を図面を用いて説明する。
図１および図２は、画像形成装置であるプリンタ１に用紙載置板４を最大限に伸ばした状態の給紙カセット２を装着した状態を示す斜視図であり、図３および図４は、プリンタ１に用紙載置板４を最小限に縮めた状態の給紙カセット２を装着した状態を示す斜視図である。また、図５は、給紙カセット２を引き出している途中の状態を示す斜視図である。なお、本実施例では、プリンタ１に装着される給紙カセット２について説明するが、プリンタ１の下段に積層される給紙ユニットに装着される給紙カセットであってもよい。
【０００９】
このように、載置する用紙がプリンタ１の奥行きよりも長くなる場合のみ用紙載置板４を図１や図２に示すように突出させ、載置する用紙がプリンタ１の奥行きよりも短くなる場合は用紙載置板４を図３や図４に示すようにプリンタ１と略同大となるようにすることにより、プリンタ１自体を大型化したり、プリンタ１から給紙カセット１２が常に突出するという問題はなくなる。
【００１０】
図６は、用紙載置板４を最大限に伸ばした状態の給紙カセット２を示す斜視図であり、図７は、用紙載置板４を最小限に縮めた状態の給紙カセット２を示す斜視図である。
【００１１】
本実施例では、用紙載置板４を２段階にスライド可能とし、用紙載置板４に給紙方向に移動可能で用紙端部の位置規制を行う用紙端部規制部材５と、下方の文字板８を見えるようにした表示窓６とを設けてなる。図６中の３は、給紙カセット本体である。
【００１２】
図８は、図６の表示窓６近傍の拡大図であり、図９は、図７の表示窓６近傍の拡大図であり、図１０は、文字板８の移動部材であるバネ９を示す図である。本発明は、用紙載置板４の伸縮により文字板８が移動し、表示窓６から表示される用紙サイズ文字が変わるようにしたことを特徴とし、以下、図６乃至図１０を用いて説明する。
【００１３】
用紙載置板４を図６から図７のように縮める場合、用紙載置板４および文字板８がガイド部材７によりスライドされるが、図１０に示すように、文字板８がガイド部材７により押圧されて移動するために、表示窓６から見ることのできる用紙サイズ位置表示が切り替わる。そして、図７から図６のように伸ばす場合、文字板８がガイド部材７による押圧が開放されバネ９に押圧されて、表示窓６から見ることのできる用紙サイズ位置表示が切り替わる。
【００１４】
このように、用紙載置板４の伸縮に連動して文字板８が移動し、表示窓６から表示される用紙サイズ文字が変えることができるために、用紙端部規制部材５の停止位置を、用紙積載板４の伸縮しても確実に表示させることができるようになる。
【００１５】
【発明の効果】
以上説明したように、本発明の画像形成装置によれば、用紙載置板の下方に用紙サイズを記載した文字板と、用紙載置板に前記文字板の文字が見える孔部と、用紙載置板の給紙方向の移動に連動して文字板の保持位置を移動させる移動部材とを設けることにより、用紙載置板が伸縮しても正確な用紙端部を表示することができるために、用紙端部規制部材の誤配置を防止でき、安定した用紙搬送性能が得られる画像形成装置を提供することができる。
【図面の簡単な説明】
【図１】本発明の用紙載置板を伸ばした状態の画像形成装置を示す斜視図である。
【図２】本発明の用紙載置板を伸ばした状態の画像形成装置を示す斜視図である。
【図３】本発明の用紙載置板を縮めた状態の画像形成装置を示す斜視図である。
【図４】本発明の用紙載置板を縮めた状態の画像形成装置を示す斜視図である。
【図５】本発明の画像形成装置から給紙カセットを引き出す状態を示す斜視図である。
【図６】本発明の用紙載置板を伸ばした状態の給紙カセットを示す斜視図である。
【図７】本発明の用紙載置板を縮めた状態の給紙カセットを示す斜視図である。
【図８】図６の一部拡大図である。
【図９】図７の一部拡大図である。
【図１０】本発明の文字板および移動部材を示す図である。
【図１１】従来の給紙カセットを示す斜視図である。
【図１２】従来の給紙カセットを示す斜視図である。
【符号の説明】
１：プリンタ
２，１２，２２：給紙カセット
４，１４，２４：用紙載置板
５，１５，２５：用紙端部規制部材
６：表示窓
７：ガイド部材
８：文字板
９：バネ
【図１】
0003921058.tif 000002
【図２】
0003921058.tif 000003
【図３】
0003921058.tif 000004
【図４】
0003921058.tif 000005
【図５】
0003921058.tif 000006
【図６】
0003921058.tif 000007
【図７】
0003921058.tif 000008
【図８】
0003921058.tif 000009
【図９】
0003921058.tif 000010
【図１０】
0003921058.tif 000011
【図１１】
0003921058.tif 000012
【図１２】
0003921058.tif 000013